(57)【要約】【課題】ケース本体とその開口部を覆蓋する蓋体が相対的に脱着可能で、ケース本体内に収容されている機能部品の点検、修理、交換作業を可能とした機能機器を筺体に取付けるための取付構造であり、ケース本体と蓋体との相対的な脱着を容易にして、機能部品の定期的な点検、修理、交換作業を容易にする。【解決手段】筺体であるハウジングの取付フレーム１１ｂに設けた嵌合穴１１ｂ1に嵌合して支持した機能機器である電解槽のケース本体である槽本体１２ａが螺着する蓋体１２ｂを、取付手段１６を介して取付フレーム１１ｂ側に固定して電解槽を取付けた状態で、槽本体１２ａを蓋体１２ｂから取外し可能とした。【選択図】    図６
2005035670.tif 000002
【特許請求の範囲】
【請求項１】
ケース本体の開口部を覆蓋する蓋体と同ケース本体を相対的に脱着して同ケース本体内に収容されている機能部品の点検、修理、交換作業を可能とした機能機器を筺体に取付けるための取付構造であり、前記筺体には、ベースフレームの上方に並列して位置し前記機能機器を嵌合して支持する取付穴を有する取付フレームが設けられていて、前記機能機器を前記取付フレームの取付穴に嵌合した状態で、同機能機器の前記ケース本体または蓋体が取付手段を介して前記取付フレーム側に固定されていることを特徴とする機能機器の筺体に対する取付構造。
【請求項２】
請求項１に記載の取付構造において、前記機能機器は、フィルターエレメントを収容しているフィルターであることを特徴とする機能機器の筺体に対する取付構造。
【請求項３】
請求項１に記載の取付構造において、前記機能機器は、一対の電極を収容している電解槽であることを特徴とする機能機器の筺体に対する取付構造。
【請求項４】
請求項１に記載の取付構造において、前記機能機器は、一対の電極を収容している電解槽とフィルターエレメントを収容しているフィルターであり、これらの電解槽とフィルターは、前記取付フレームに横方向に並列して形成されている各取付穴に嵌合された状態で流水管路を介して互いに接続されて電解水生成装置を構成していることを特徴とする機能機器の筺体に対する取付構造。
【請求項５】
請求項４に記載の取付構造において、前記電解槽および前記フィルターの少なくともいずれかは、前記電解槽と前記フィルター間の離間距離の長短を調整可能に取付けられていることを特徴とする機能機器の筺体への取付構造。
【請求項６】
請求項４または５に記載の取付構造において、前記電解槽は銀イオンを含有するイオン水を生成する電解槽であり、かつ、前記フィルターは前記イオン水に混在する固体状の銀成分を捕捉するフィルターであることを特徴とする機能機器の筺体に対する取付構造。
【請求項７】
請求項４〜６のいずれか一項に記載の取付構造において、前記電解槽と前記フィルターとを接続する流水管路にサイホン管路部を備えていることを特徴とする機能機器の筺体に対する取付構造。
【請求項８】
請求項４〜７のいずれか一項に記載の取付構造において、前記筺体を構成するベースフレームは前記電解槽の底部にのみ臨んで、前記取付フレームにおける前記フィルターの取付部位を下方に露出させていて、同取付部位に取付けられている前記フィルターのケース本体が前記筺体の下方から外部に露出していることを特徴とする機能機器の筺体に対する取付構造。
【発明の詳細な説明】
【技術分野】
【０００１】
本発明は、ケース内に機能部品を収容してなる機能機器の筺体に対する取付構造に関する。
【背景技術】
【０００２】
ケース内に機能部品を収容してなる機能機器においては、その長期間使用している場合には、定期的に、収容されている機能部品をケースから取出して、機能部品を点検、修理、交換する必要がある。このような作業を必要とする機能機器としては、例えばフィルターや電解槽等があり、フィルターではケース内に収容されているフィルターエレメントの定期的な点検、修理または交換が必要であり、また、電解槽ではケース内に収容されている電極の定期的な点検、修理または交換が必要である。
【０００３】
しかして、このような機能機器は、機能部品をケース内に収容した状態で筺体の取付フレームに取付けられて機能装置を構成している。このため、機能部品の定期的な点検、修理または交換作業を容易にするには、機能機器の取付フレームに対する脱着が容易であることが要請される。
【０００４】
この種の機能機器の取付フレームに対する取付手段としては、機能機器を取付フレームの所定の部位にネジ止めしているのが一般である。かかる取付構造では、機能機器の形状や構造、機能機器に取付けらている部品、その周辺に取付けられている部品等によっては、機能機器を取付フレームから取外す作業が容易でない場合が多い。また、このように、機能機器の取付フレームからの取外しが厄介な場合には、機能機器の取付フレームへの再度の取付けも容易ではない。
【０００５】
或種の機能装置においては、機能機器の取付フレームに対する脱着が容易でないことに配慮して、機能機器のケースを構成する蓋体を、機能機器が取付フレームに取付けられている状態で、ケース本体に対して容易に開閉し得るように構成して、ケース本体に対する機能部品の取出しおよび収容を、開閉し得る蓋体を開放して行うようにした機能装置が認められる。（特許文献１参照）。
【０００６】
しかしながら、当該機能機器を構成するケースの蓋体を開閉可能とする場合には、機能部品を収容しているケース自体を大幅に変更して、機能機器が取付けられている状態でのケースの蓋体の開閉を容易かつ確実に行えるように構成しなければならないという新たな問題がある。また、機能機器自体や、機能機器の取付部位の周辺には、機能装置自体が必要とする部品が数多く取付けられることから、これらの取付部品の影響を受けることなく、機能機器が取付けられている状態でのケースの蓋体の開閉を容易かつ確実に行えるように構成することは不可能に近い。
【特許文献１】特開平４−２７４８８号公報
【発明の開示】
【発明が解決しようとする課題】
【０００７】
このように、従来のこの種の機能装置においては、機能機器の筺体の取付フレームに対する取付構造では、機能機器の取付フレームに対する脱着が容易でなく、機能機器のケース内に収容されている機能部品の定期的な点検、修理、交換作業が厄介である。従って、本発明の目的は、機能機器の筺体の取付フレームに対する取付構造を改善して、機能機器のケースを構成するケース本体または蓋体の取付フレームに対する脱着を容易にすることにあり、さらには、このような有利な取付構造を、機能機器を構成するケースの形状および構造を大幅に変更することなく構成することにある。
【課題を解決するための手段】
【０００８】
本発明は、機能機器の筺体に対する取付構造に関する。本発明が取付けの対象とする機能機器は、ケース本体の開口部を覆蓋する蓋体と同ケース本体を相対的に脱着して同ケース本体内に収容されている機能部品の点検、修理、交換作業を可能とした機能機器であって、本発明に係る取付構造は当該機能機器を筺体に取付けるための取付構造である。
【０００９】
本発明に係る取付構造は、前記筺体にそのベースフレームの上方に並列して位置し前記機能機器を嵌合して支持する取付穴を有する取付フレームに機能機器を取付けるもので、前記機能機器を前記取付フレームの取付穴に嵌合した状態で、同機能機器の前記ケース本体または蓋体が取付手段を介して前記取付フレーム側に固定されていることを特徴とするものである。
【００１０】
本発明に係る取付構造においては、前記機能機器として、フィルターエレメントを収容しているフィルターや、一対の電極を収容している電解槽を採用することができる。また、前記機能機器としては、前記フィルターおよび前記電解槽の両者を採用することができる。
【００１１】
この場合には、前記電解槽および前記フィルターを、前記取付フレームに横方向に並列して形成されている各取付穴に嵌合して流水管路を介して互いに接続することによって、電解水生成装置に構成することができる。また、この場合、前記電解槽として銀イオンを含有するイオン水を生成する電解槽を採用し、かつ、前記フィルターとしてイオン水に混在する固体状の銀成分を捕捉するフィルターを採用れば、銀イオンを含有するイオン水を生成する電解水生成装置に構成することができる。
【００１２】
上記した各電解水生成装置を構成する場合の取付構造においては、前記電解槽および前記フィルターの少なくともいずれかを、前記電解槽と前記フィルター間の離間距離の長短を調整可能に取付けるようにすることが好ましい。
【００１３】
上記した各電解生成生成装置を構成する場合の取付構造においては、前記電解槽と前記フィルターとを接続する流水管路にサイホン管路部を設けるようにすることができる。また、前記筺体を構成するベースフレームを前記電解槽の底部にのみ臨ませて、前記取付フレームにおける前記フィルターの取付部位を下方に露出させるように構成して、同取付部位に取付けられている前記フィルターのケース本体を前記筺体の下方から外部に露出させるようにすることができる。
【発明の効果】
【００１４】
本発明に係る取付構造においては、機能機器自体は、取付フレームに設けた取付穴に嵌合した状態で支持されていて、ケースを構成するケース本体または蓋体のいずれか取付フレーム側に固定された状態にある。このため、ケース内に収容されている機能部品の定期的な点検、修理または交換時には、取付フレームに対して非固定側であるケース本体または蓋体を取外すことができて、ケース本体内に収容されている機能部品を取外し側部材と一体に取外することができ、または、固定側部材と一体の状態で外部に露呈させることができる。
【００１５】
これにより、ケース本体内に収容されていた機能部品の定期的な点検、修理または交換作業を容易に行うことができる。また、機能部品に対するこれらの作業が終了した後には、ケースの取外し側部材を固定側部材に容易に取付けることができ、取外し側部材を固定側部材に取付けてケースを組立てることによって、機能機器を取付フレームに取付けられた状態に更新することができる。
【００１６】
本発明に係る取付構造を採用して筺体に取付けた電解槽とフィルターとを流水管路を介して互いに接続することにより構成されている電解水生成装置においては、電解槽とフィルター間の離間距離の長短を調整可能に取付けられる取付構造を採用すれば、電解槽とフィルターとの流水管路による接続作業が容易である。また、電解生成生成装置を構成する場合の取付構造においては、前記電解槽と前記フィルターとを接続する流水管路にサイホン管路部を設けるようにすることができる。
【００１７】
当該形式の電解水生成装置においては、フィルターや電解槽のケース本体を取付フレームに固定されている蓋体から取外す場合には、各ケース本体には液体が満タンになっている。このため、各ケース本体を蓋体から取外す際には、ケース本体に満タンの液体を蓋体との取付部位からの漏洩をできるかぎり抑制することが好ましい。
【００１８】
フィルターにおいては、ケース本体の底部には機能部品が設置されていないことから、ケース本体の底部に水抜き栓を設けられていて、ケース本体を蓋体から取外すに当たっては、水抜き栓を取外してケース本体内の液体を抜き取って空にすればよい。しかしながら、電解槽においては、ケース本体の底部には、一対の電極が起立状態の設置されていることから、ケース本体の底部には水抜き栓は設けられていない。
【００１９】
従って、上記した構成の電解水生成装置において、電解槽とフィルターとを接続する流水管路にサイホン管路部を設けるようにすれば、フィルターのケース本体内の液体を抜き取った後に、電解槽のケース本体を蓋体から徐々に取り外すと、その取付部位の緩みに応じてケース本体内に外気が侵入して電解槽内が大気圧の状態となりケース本体内の一部の液体がサイホン管路部を通してフィルターのケース本体内に流入する。この結果、電解槽内の液体の液面は、そのケース本体の取付部位より低下することになる。この状態の電解槽のケース本体を蓋体から取外しても、取付部位からの液体の漏洩は防止される。
【００２０】
当該形式の電解水生成装置においては、機能上、フィルターの機能部品であるフィルターエレメントの交換頻度が高く、フィルターのケース本体を蓋体からの取外しおよび取付け作業を容易にすることが好ましい。上記した構成の電解水生成装置においては、前記筺体を構成するベースフレームを電解槽の底部にのみ臨ませて、取付フレームにおけるフィルターの取付部位を下方に露出させるように構成して、同取付部位に取付けられているフィルターのケース本体を筺体の下方から外部に露出させるようにすることができる。筺体をこのように構成によれば、フィルターのケース本体は、常時筺体から露出していることから、必要時には、何等の作業を要することなく、フィルターのケース本体を容易に取外すことができ、かつ、取付けた後には何等の復帰作業を要しない。
【発明を実施するための最良の形態】
【００２１】
本発明は、機能機器の筺体に対する取付構造に関するものである。図１〜図４には、本発明に係る取付構造を採用して構成した第１実施形態に係る銀イオン水生成装置（電解水生成装置）を示している。当該銀イオン生成装置１０は、電解槽１０ａ、フィルター１０ｂ、流通管路１０ｃ、および電装箱１０ｄを主要構成部品とするもので、これらの構成部品１０ａ，１０ｂ，１０ｃ，１０ｄは、筺体であるハウジング１０ｅ内に収納されている。
【００２２】
ハウジング１０ｅは、ベースフレーム１１ａ1およびこれと一体のフロントパネル１１ａ2からなるハウジング本体１１ａと、ハウジング本体１１ａに支持されているセンタフレーム１１ｂと、トップパネル１１ｃ1およびこれと一体のリヤパネル１１ｃ2からなるカバーパネル１１ｃと、左右一対のサイドパネル１１ｄにて構成されている。ハウジング１０ｅは、カバーパネル１１ｃを、ハウジング本体１１ａに脱着可能に嵌合し、かつ、これに両サイドパネル１１ｄを脱着可能に取付けることにより構成されている。カバーパネル１１ｃおよび両サイドパネル１１ｄは、ハウジング本体１１ａに嵌合され取付けられた状態では、ハウジング本体１１ａとともにハウジング１０ｅ（筺体）を形成していて、電解槽１０ａ、フィルター１０ｂ、流通管路１０ｃおよび電装箱１０ｄを収納している。
【００２３】
ハウジング１０ｅにおいて、センタフレーム１１ｂは、ベースフレーム１１ａ1から所定高さ上方にてベースフレーム１１ａ1とは並列状態に位置していて、電解槽１０ａおよびフィルター１０ｂの取付用フレームとして機能する。センタフレーム１１ｂには、電解槽１０ａおよびフィルター１０ｂを取付けるべく機能する一対の真円状の取付穴１１ｂ1，１１ｂ2が設けられている。取付穴１１ｂ1，１１ｂ2は、横方向に所定間隔を保持して並列している。また、ベースフレーム１１ａ1は、４本の脚部を介して床面とは所定高さ離間していて、ベースフレーム１１ａ1におけるセンタフレーム１１ｂの取付穴１１ｂ1，１１ｂ2に対向する部位には、長方形の開口部１１ａ3が設けられている。
【００２４】
なお、開口部１１ａ3は通常、ネジ止めされているカバー体にて閉鎖されていて、電解槽１０ａ、フィルター１０ｂ、その他の構成部品をメンテナンスする際に、カバー体を取り外して開放される。
【００２５】
電解槽１０ａは、図５（ａ）に示すように、ケース本体である槽本体１２ａと、槽本体１２ａの上方開口部に螺着された蓋体１２ｂと、槽本体１２ａ内の底部に取付けられて槽本体１２ａの内部に起立する一対の電極１２ｃとからなるもので、蓋体１２ｂの上面側には、流水管路１０ｃの一部を構成する接続管路１２ｄが設けられている。電極１２ｃは、被電解水の電解時に、被電解水に銀イオンを溶出する銀電極である。
【００２６】
当該電解槽１０ａは、センタフレーム１１ｂの取付穴１１ｂ1に嵌合された状態で、後述する取付構造を採用してセンタフレーム１１ｂに取付けられている。取付けられた状態にある電解槽１０ａには、接続管路１２ｄの上流側に第１接続管路１３ａが接続されている。また、接続管路１２ｄの下流側には、電解槽１０ａをフィルター１０ｂに接続するための第２接続管路１３ｂが接続されている。第１，第２接続管路１３ａ，１３ｂは、後述する他の第３，第４，第５，第６接続管路１３ｃ，１３ｄ，１３ｅ，１３ｆとともに、流水管路１０ｃを構成している。
【００２７】
当該電解槽１０ａは、電解運転では、第１接続管路１３ａを通して供給される被電解水を所定の定電流で電解する。当該電解では、電極１２ｃから銀成分がイオン状態で溶出して銀イオン水が生成され、生成された銀イオン水は、接続管路１２ｄおよび第２接続管路１３ｂを通してフィルター１０ｂに流出する。当該電解槽１０ａの電解運転は、電装箱１０ｄに収納されている制御装置１４にて制御される。
【００２８】
フィルター１０ｂは、図５（ｂ）に示すように、ケース本体１５ａと、ケース本体１５ａの上方開口部に螺着された蓋体１５ｂと、槽本体１５ａ内に収容されているフィルターエレメント１５ｃからなるもので、蓋体１５ｂの上面側には、流水管路１０ｃの一部を接続するための接続管路１５ｄが設けられている。また、槽本体１５ａには、その底部の中央部に水抜き穴１５ａ1が設けられていて、水抜き穴１５ａ1は水抜き栓１５ｅにて閉塞されている。フィルターエレメント１５ｃは、接続管路１５ｄの下流側入口部に嵌着した状態で取付けられている。当該フィルター１０ｂは、電解槽１０ａで生成された銀イオン水を濾過して、銀イオン水中に混在する固体状態の銀（酸化皮膜片）を捕捉すべく機能するもので、接続管路１５ｄの下流側には、第３接続管路１３ｃが接続されている。
【００２９】
なお、第３接続管路１３ｃの下流側には、第４，第５，第６接続管路１３ｄ，１３ｅ，１３ｆが接続されていて、第４，第５，第６接続管路１３ｄ，１３ｅ，１３ｆは、銀イオン水の流出管路を形成している。また、第３接続管路１３ｃと第４接続管路１３ｄ間には流量センサー１４ａが介装され、第５接続管路１３ｅの途中には抽出弁１４ｂが介装され、かつ、第６接続管路１３ｆの途中には排出弁１４ｃが介装されている。流量センサー１４ａは、第３接続管路１３ｃを流動する銀イオン水の流出状況を検出して制御装置１４に出力する。制御装置１４は、この検出信号に基づいて、給水弁１４ｄ、抽出弁１４ｂおよび排出弁１４ｃの開閉制御を行って、電解運転を制御する。
【００３０】
しかして、当該銀イオン水生成装置１０においては、電解槽１０ａおよびフィルター１０ｂのセンタフレーム１１ｂに対する取付け手段として、本発明に係る取付構造を採用している。当該取付構造では、電解槽１０ａにあっては、センタフレーム１１ｂに取付けられている状態で、槽本体１２ａを蓋体１２ｂから取外し可能であって、槽本体１２ａをその内部に収容されている電極１２ｃと一体にセンタフレーム１１ｂから取外すことはできるようになっている。また、当該取付構造では、フィルター１０ｂにあっては、センタフレーム１１ｂに取付けられている状態で、ケース本体１５ａを蓋体１５ｂから取外し可能であって、ケース本体１５ａを取外すことによって、ケース本体１５ａ内に収容されていたフィルターエレメント１５ｃを露出させ、フィルターエレメント１５ｃを交換することができるようになっている。
【００３１】
当該取付構造を採用されている電解槽１０ａにおいては、図５（ａ）に示すように、槽本体１２ａは段付きの円筒状に形成されていて、開口部側の上方大径部の外周に蓋体１２ｂが螺合するように構成されている。このため、当該電解槽１０ａにおいては、センタフレーム１１ｂの取付穴１１ｂ1に嵌合した状態では、取付穴１１ｂ1の外周縁部が蓋体１２ｂの下端側周縁部を受承することによって、センタフレーム１１ｂに支持される。また、当該電解槽１０ａにおいては、センタフレーム１１ｂに支持された状態では、図６に示すブラケット１６を介してセンタフレーム１１ｂに固定されている。
【００３２】
ブラケット１６は、図６に示すように、押さえ板部１６ａと取付板部１６ｂを階段状の連結部１６ｃにて連結してなる一体のもので、ブラケット１６は、押さえ板部１６ａおよび連結部１６ｃにて、電解槽１０ａの接続管路１２ｄおよび蓋体１２ｂの上面の一部を押さえた状態で、その取付板部１６ｂをセンタフレーム１１ｂ上にネジ１６ｄ止めされている。これにより、電解槽１０ａは、ブラケット１６を介してセンタフレーム１１ｂに固定されている。
【００３３】
当該取付構造を採用してセンタフレーム１１ｂに取付けられている電解槽１０ａにあっては、センタフレーム１１ｂに取付けられている状態で、槽本体１２ａを蓋体１２ｂから取外すことが可能であり、槽本体１２ａを蓋体１２ｂから取外せば、槽本体１２ａの内部に収容されていた各電極１２ｃを一体的に取出すことができる。このため、槽本体１２ａを蓋体１２ｂから取外せば、各電極１２ｃの点検、修理、交換作業が容易である。また、これらの作業の終了後は、各電極１２ｃと一体の槽本体１２ａを蓋体１２ｂに螺合して取付けることにより、センタフレーム１１ｂに取付けられた状態の電解槽１０ａに復帰させることができる。
【００３４】
従って、当該取付構造を採用してセンタフレーム１１ｂに取付けられている電解槽１０ａでは、内部に収容されている各電極１２ｃの取出しおよび収容が容易であって、定期的になされる各電極１２ｃの点検、修理、交換作業が極めて容易になる。なお、当該銀イオン水生成装置の電解運転後における槽本体１２ａ内は、被電解水等の水が満タンの状態にある。このため、槽本体１２ａの蓋体１２ｂからの取外しは、槽本体１２ａ内が水で満タンの状態で行うことになることから、取外しに当たっては、槽本体１２ａの取付部位から水が漏洩しないように、槽本体１２ａの取付部位をゆっくり緩めて取外すようにして、当該取付部位からの水の漏洩を最小にすることが好ましい。
【００３５】
一方、当該取付構造を採用してセンタフレーム１１ｂに取付けられているフィルター１０ｂにおいては、図５（ｂ）に示すように、ケース体１５ａは段付きの円筒状に形成されていて、開口部側の上方大径部の外周に蓋体１５ｂが螺合するように構成されている。
【００３６】
このため、当該フィルター１０ｂにおいては、センタフレーム１１ｂの取付穴１１ｂ2に嵌合した状態では、取付穴１１ｂ2の外周縁部が蓋体１５ｂの下端側周縁部を受承することによって、センタフレーム１１ｂに支持される。この支持状態は、電解槽１０ａのセンタフレーム１１ｂに対する支持状態と同じである。当該フィルター１０ｂにおいては、センタフレーム１１ｂに支持された状態では、ブラケット１７を介してセンタフレーム１１ｂに固定されている。
【００３７】
ブラケット１７は、電解槽１０ａを固定しているブラケット１６と同一の構造のもので、ブラケット１７は、押さえ板部にて、フィルター１０ｂにおける接続管路１５ｄおよび蓋体１５ｂの上面の一部を押さえた状態で、その取付板部をセンタフレーム１１ｂ上にネジ止めされている。これにより、フィルター１０ｂは、ブラケット１７を介してセンタフレーム１１ｂに固定されている。フィルター１０ｂのかかる固定状態は、電解槽１０ａの固定状態と同一である。
【００３８】
従って、当該取付構造を採用してセンタフレーム１１ｂに取付けられているフィルター１０ｂにあっては、センタフレーム１１ｂに取付けられている状態で、ケース本体１５ａを蓋体１５ｂから取外すことが可能であり、ケース本体１５ａを蓋体１５ｂから取外せば、ケース本体１５ａの内部に収容されているフィルターエレメント１５ｃを露出させることができる。このため、ケース本体１５ａを蓋体１５ｂから取外せば、フィルターエレメント１５ｃの点検、修理、交換作業が容易である。また、これらの作業の終了後は、ケース本体１５ａを蓋体１５ｂに螺合して取付けることにより、センタフレーム１１ｂに取付けられた状態のフィルター１０ｂに復帰させることができる。
【００３９】
従って、当該取付構造を採用してセンタフレーム１１ｂに取付けられているフィルター１０ｂでは、内部に収容されているフィルターエレメント１５ｃの露出および収容が容易であって、定期的になされるフィルターエレメント１５ｃの点検、修理、交換作業が極めて容易である。なお、当該銀イオン水生成装置の電解運転後におけるケース本体１５ａの取外しにあっては、ケース本体１５ａ内は電解生成水等の水が満タンの状態にあるので、ケース本体１５ａ内の電解生成水を排水した後に、ケース本体１５ａを蓋体１５ｂから取外すようにする。
【００４０】
ケース本体１５ａ内の電解生成水等の水を排出するに当たっては、ケース本体１５ａの下方に水受皿を置いた状態で、水抜き栓１５ｅを取外して水抜き穴１５ａ1を開放する。これにより、ケース本体１５ａ内に電解生成水等の水が水抜き穴１５ａ1から排出されるが、少量の水が排出された時点でケース本体１５ａ内が負圧状態になって、水抜き穴１５ａ1からの排水が停止する。このため、この時点で、ケース本体１５ａの蓋体１５ｂに対する螺合部をゆっくりと緩める。これにより、当該螺合部から外気がケース本体１５ａ内に侵入してケース本体１５ａ内を大気圧とする。この結果、ケース本体１５ａ内に残留する水は水抜き穴１５ａ1から漸次排出される。この間、外気のケース本体１５ａ内への侵入は継続される。このため、ケース本体１５ａの蓋体１５ｂからの取外し時点での、ケース本体１５ａの取付部位からの水の漏洩が発生することはない。
【００４１】
図７には、本発明に係る取付構造を採用して構成した第２実施形態に係る銀イオン水生成装置を示している。当該銀イオン生成装置２０は、電解槽２０ａ、フィルター２０ｂ、流通管路２０ｃ、および図示しない電装箱を主要構成部品とするもので、これらの構成部品は、筺体であるハイジング２０ｅ内に収納されている。当該銀イオン水生成装置２０は、銀イオン水生成装置１０とは、採用している取付構造は相違しているが、その他の点では実質的に同一構成であることから、図７には、各構成部品や構成部品の一部を省略した状態で示している。
【００４２】
また、当該銀イオン水生成装置２０では、採用している取付構造を除き、銀イオン水生成装置１０と実質的に同一であることから、当該銀イオン水生成装置２０の以下の説明では、銀イオン水生成装置１０と同一の構成部品、その構成部品の各構成部材、および、その構成部品の構成部位等については、２０番台の類似する符号を付してその詳細な説明を省略し、主として、銀イオン水生成装置１０とは異なる取付構造について詳細に説明する。
【００４３】
当該銀イオン水生成装置２０における電解槽２０ａおよびフィルター２０ｂの取付手段としては、図７および図８に示す取付手段が採用されている。すなわち、電解槽２０ａおよびフィルター２０ｂの取付構造では、電解槽２０ａおよびフィルター２０ｂは、ブラケット２６，２７とスペーサ２８，２９を介して、センタフレーム２１ｂに取付けられている。
【００４４】
当該取付構造においては、センタフレーム２１ｂに設けられている各取付穴２１ｂ1，２１ｂ2は、横方向（センタフレーム２１ｂの長手方向）の径が縦方向（センタフレーム２１ｂの幅方向）の径に比較してわずかに長い楕円形状に形成されているものである。また、ブラケット２６，２７は、ブラケット１６，１７と同一形状のものである。当該取付構造で、新たに採用しているスペーサ２８，２９は、同一形状で同一構造のものである。各スペーサ２８，２９は八角形のスペーサ本体２８ａ，２９ａの中央部に真円形状の嵌合穴２８ｂ，２９ｂを備えるとともに、スペーサ本体２８ａ，２９ａの横方向の一側に一対の横長形状の固定用穴２８ｃ，２９ｃを備えている。
【００４５】
当該取付構造では、電解槽２０ａおよびフィルター２０ｂは、銀イオン水生成装置１０における電解槽１０ａおよびフィルター１０ｂと同様に、センタフレーム２１ｂの各取付穴２１ｂ1，２１ｂ2に嵌合して取付けられるが、各スペーサ本体２８ａ，２９ａの嵌合穴２８ｂ，２９ｂを通して、各取付穴２１ｂ1，２１ｂ2に嵌合して支持される。このため、電解槽２０ａおよびフィルター２０ｂは、センタフレーム２１ｂ上に位置する各スペーサ２８，２９における嵌合穴２８ｂ，２９ｂの外周縁部上に、各蓋体２２ｂ，２５ｂの下側周縁部を受承された状態で支持される。
【００４６】
図９には、当該取付構造を採用する場合の、電解槽２０ａおよびフィルター２０ｂの取付け手順を示しており、電解槽２０ａおよびフィルター２０ｂは当該取付け手順を経て図７に示す状態に取付けられる。
【００４７】
図９（ａ）は、各スペーサ２８，２９が載置される前のセンタフレーム２１ｂの平面状態を示し、同図（ｂ）は、各スペーサ２８，２９を載置した後のセンタフレーム２１ｂの平面状態を示し、同図（ｃ）は、電解槽２０ａおよびフィルター２０ｂを、各スペーサ２８，２９の各嵌合穴２８ｂ，２９ｂおよび各取付穴２１ｂ1，２１ｂ2に嵌合して支持して、第２接続管路２３ｂで互いに接続した後のセンタフレーム２１ｂの平面状態を示している。
【００４８】
当該取付構造では、図９（ｃ）に示すように、電解槽２０ａおよびフィルター２０ｂを各スペーサ２８，２９を介してセンタフレーム２１ｂの各取付穴２１ｂ1，２１ｂ2に嵌合した状態では、各取付穴２１ｂ1，２１ｂ2が横方向に長い楕円形状であるとともに、各スペーサ２８，２９の各嵌合穴２８ｂ，２９ｂが真円形状であることから、電解槽２０ａとフィルター２０ｂとは、わずかではあるが、互いに接近および離間する方向に位置調節可能である。このため、電解槽２０ａとフィルター２０ｂを互いに接続する第２接続管路２３ｂの、電解槽２０ａおよびフィルター２０ｂの各接続管路２２ｄ，２５ｄへの接続が容易である。
【００４９】
電解槽２０ａおよびフィルター２０ｂは、第２接続管路２３ｂにて互いに接続された後、図８に示すように、電解槽１０ａおよびフィルター１０ｂをセンタフレーム１１ｂに固定する要領で、各ブラケット２６，２７を介してセンタフレーム２１ｂに固定される。
【００５０】
図８は、電解槽２０ａをセンタフレーム２１ｂに取付ける状態を示すもので、ブラケット２６は、その押さえ板部２６ａおよび連結部２６ｃにて、接続管路２２ｄおよび蓋体２２ｂの上面の一部を押さえた状態で、その取付板部２６ｂをセンタフレーム２１ｂ上にネジ２６ｄ止めされる。これにより、電解槽２０ａは、ブラケット２６およびスペーサ２８を介してセンタフレーム２１ｂに固定される。フィルター２０ｂも、電解槽２０ａと全く同様に、ブラケット２７およびスペーサ２９を介してセンタフレーム２１ｂに固定される。電解槽２０ａおよびフィルター２０ｂのかかる固定状態は、図７に示すように、電解槽１０ａおよびフィルター１０ｂの固定状態と実質的に同じである。
【００５１】
従って、当該取付構造を採用してセンタフレーム２１ｂに取付けられている電解槽２０ａおよびフィルター２０ｂにあっては、電解槽１０ａおよびフィルター１０ｂと全く同様に、センタフレーム２１ｂに取付けられている状態で、槽本体２２ａやケース本体２５ａを、各蓋体２２ｂ，２５ｂから取外すことが可能できる。このため、当該取付構造では、電解槽１０ａおよびフィルター１０ｂでの取付手段として採用している取付構造と、同様の作用効果を奏するものである。
【００５２】
すなわち、当該取付構造を採用してセンタフレーム２１ｂに取付けられている電解槽２０ａおよびフィルター２０ｂでは、内部に収容されている電極２２ｃの取出しやフィルターエレメント２５ｃの露呈、および、これらの収容が容易であって、定期的になされる電極２２ｃやフィルターエレメン２５ｃの点検、修理、交換作業が極めて容易である。
【００５３】
図１０には、第１実施形態に係る銀イオン水生成装置１０で採用している電解槽１０ａおよびフィルター１０ｂの変形例を示している。当該変形例に係る電解槽１０ｃおよびフィルター１０ｄにおいては、第２接続管路１３ｂにて互いに接続された状態で形成される流水管路１０ｆにサイホン管路部１０ｆ1，１０ｆ2を備えている。電解槽１０ｃおよびフィルター１０ｄは、この点を除いては、電解槽１０ａおよびフィルター１０ｂと同一の構成となっている。
【００５４】
当該流水管路１０ｆは、電解槽１０ｃに設けた接続管路１２ｄの下流側の内孔１２ｄ1と、フィルター１０ｄに設けた接続管路１５ｄの上流側の内孔１５ｄ1と、第２接続管路１３ｂの内孔１３ｂ1にて形成されていて、当該流水管路１０ｆの電解槽１０ｃ内の先端側にサイホン管路部１０ｆ1が形成されており、かつ、当該流水管路１０ｆのフィルター１０ｄ内の先端側にサイホン管路部１０ｆ2が形成されている。
【００５５】
電解槽１０ｃ内においては、接続管路１２ｄにおける内孔１２ｄ1の先端開口部に、略Ｌ字状の小径の屈曲管部１２ｄ2が設けられていて、当該屈曲管１２ｄ2の内孔と内孔１２ｄ１とでサイホン管路部１０ｆ1が形成されている。また、フィルター１０ｄ内においては、接続管路１５ｄにおける内孔１５ｄ1の先端開口部に、略Ｌ字状の小径の屈曲管部１５ｄ2が設けられていて、当該屈曲管１５ｄ2の内孔と内孔１５ｄ１とでサイホン管路部１０ｆ2が形成されている。
【００５６】
当該電解槽１０ｃおよびフィルター１０ｄを備えた銀イオン水生成装置においては、電解運転終了後には、電解槽１０ｃ内は被電解水等の水にて満タンの状態になっており、また、フィルター１０ｄ内は電解生成水等の水にて満タンの状態になっている。このため、電解槽１０ｃの槽本体１２ａを蓋体１２ｂから取外す場合には、槽本体１２ａの取付部位からの水の漏洩を皆無または最小限にし、また、フィルター１０ｄのケース本体１５ａを蓋体１５ｂから取外す場合には、ケース本体１５ａの取付部位からの水の漏洩を皆無または最小限にすることが好ましい。
【００５７】
フィルター１０ｄにおいては、すでにフィルター１０ｂについて詳述しているように、ケース本体１５ａの底部中央部に水抜き穴１５ａ1を設けて、水抜き穴１５ａ1を水抜き栓１５ｅにて閉塞するようにして、ケース本体１５ａを蓋体１５ｂから取外すに当たっては、水抜き栓１５ｅを取外してケース本体１５ａ内の水を抜き取って空にし得る構成を採っている。しかしながら、電解槽１０ｃにおいては、電解槽１０ａと同様に、槽本体１２ａの底部には、一対の電極１２ｃが起立状態の設置されていることから、槽本体１２ａの底部には水抜き穴およびこれを閉塞する水抜き栓を設けることできない。
【００５８】
しかしながら、当該銀イオン水生成装置においては、上記したように、電解槽１０ｃとフィルター１０ｄを接続している流水管路１０ｆにサイホン管路部１０ｆ1，１０ｆ2を設けている。このため、当該流水管路１０ｆにおいては、電解槽１０ｃの槽本体１２ａを蓋体１２ｂから取外す場合には下記のごとく機能して、槽本体１２ａの取外し時における取付部位からの水の漏洩が防止される。
【００５９】
電解槽１０ｃの槽本体１２ａの蓋体１２ｂからの取外し作業は、フィルター１０ｄのケース本体１５ａ内の水を排出した後に行う。この状態で、電解槽１０ｃの槽本体１２ａを蓋体１２ｂから徐々に取外すと、その取付部位の緩みに応じて槽本体１２ａ内に外気が侵入して電解槽１０ｃ内が大気圧の状態となり、槽本体１２ａ内の一部の水は、図示矢印で示すように、サイホン管路部１０ｆ1、流水管路１０ｆおよびサイホン管路部１０ｆ2を通して、フィルター１０ｄのケース本体１５ａ内に流入し、ケース本体１５ａの水抜き穴１５ａ1を通って水受皿に排出される。この結果、電解槽１０ｃ内の水面Ｌは、槽本体１２ａの取付部位より大きく低下することになる。この状態の槽本体１２ａを蓋体１２ｂから取外しても、取付部位からの水の漏洩は発生しない。
【００６０】
図１１には、第１実施形態に係る銀イオン水生成装置におけるハウジング１０ｅを変形した例を示している。当該銀イオン水生成装置は、ハウジング１０ｇを除き、第１実施形態に係る銀イオン水生成装置と同一構成のものである。
【００６１】
ハウジング１０ｇは、ベースフレーム１１ａ1およびフロントパネル１１ａ2一体のハウジング本体１１ａと、センタフレーム１１ｂと、トップパネル１１ｃ1およびリヤパネル１１ｃ2一体のカバーパネル１１ｃと、両サイドパネル１１ｄと、センタフレーム１１ｂの後端側を受承する左右一対の脚部１１ｅにて構成されている。ハウジング１０ｇにおいては、ベースフレーム１１ａ1、リヤパネル１１ｃ2および両サイドパネル１１ｄの形状が、ハウジング１０ｅのベースフレーム１１ａ1、リヤパネル１１ｃ2および両サイドパネル１１ｄの形状とは相違する。
【００６２】
ベースフレーム１１ａ1は、センタフレーム１１ｂに比較して、前後の長が略１／２の長さに形成されていて、センタフレーム１１ｂの下方にて対向して位置している状態では、センタフレーム１１ｂに取付けられている電解槽１０ａの下方に臨んでいるが、センタフレーム１１ｂに取付けられているフィルター１０ｂの下方には臨んでいない。
【００６３】
また、各サイドパネル１１ｄは、後側の下隅部は長方形状に切欠部１１ｄ1を有する形状を呈し、かつ、リヤパネル１１ｃ2は上下の長さがセンタフレーム１１ｂの後端部にまで延びる長さに形成されている。従って、これらのパネルでハウジング１０ｇを組立てた状態では、センタフレーム１１ｂに取付けられているフィルター１０ｂにおいては、センタフレーム１１ｂの下方に延びているケース本体１５ａの全てを、ハウジング１０ｇの外部である、ハウジング１０ｇの後側下方部に形成されている空間部に露出している。
【００６４】
当該形式の銀イオン水生成装置においては、機能上、フィルター１０ｂの機能部品であるフィルターエレメント１５ｃの交換頻度が高く、フィルター１０ｂのケース本体１５ａを蓋体１５ｂからの取外しおよび取付け作業を容易にすることが好ましい。上記した構成のハウジング１０ｇを採用した銀イオン水生成装置においては、センタフレーム１１ｂに取付けられているフィルター１０ｂのケース本体１５ａの全てがハウジング１０ｇの外部の作業し易い空間部に露出しているため、必要時には、何等の作業を要することなく、フィルター１０ｂのケース本体１５ａを容易に取外すことができ、かつ、取付けた後には何等の復帰作業を要しない。
【図面の簡単な説明】
【００６５】
【図１】本発明に係る取付構造を採用して構成した第１実施形態に係る銀イオン水生成装置の全体の外観を示す斜視図である。
【図２】同銀イオン水生成装置のカバーパネルおよびサイドパネルを取外した状態の側面図である。
【図３】同銀イオン水生成装置の平面図である。
【図４】同銀イオン水生成装置の他側からみた斜視図である。
【図５】同銀イオン水生成装置を構成する電解槽の縦断面図（ａ）、および、フィルターの縦断面図（ｂ）である。
【図６】同電解槽のセンタフレームへの取付状態を示す斜視図である。
【図７】本発明に係る取付構造を採用して構成した第２実施形態に係る銀イオン水生成装置のカバーパネルおよびサイドパネルを取外した状態の平面図である。
【図８】同銀イオン水生成装置を構成する電解槽のセンタフレームへの取付状態を示す斜視図である。
【図９】同取付構造を採用して電解槽およびフィルターをセンタフレームに取付ける手順を経時的に示すセンタフレームの平面図である。
【図１０】第１実施形態に係る銀イオン水生成装置を構成する電解槽およびフィルターの変形例を示す縦断面図である。
【図１１】第１実施形態に係る銀イオン水生成装置を構成するハウジングとして変形例に係るハウジングを採用してなる銀イオン水生成装置の全体の外観を示す図１に対応する斜視図である。
【符号の説明】
【００６６】
１０…銀イオン水生成装置、１０ａ，１０ｃ…電解槽、１０ｂ，１０ｄ…フィルター、１０ｃ…流通管路、１０ｄ…電装箱、１０ｅ，１０ｇ…ハウジング、１０ｆ…流水管路、１０ｆ1，１０ｆ2…サイホン管路部、１１ａ…ハウジング本体、１１ａ1…ベースフレーム、１１ａ2…フロントパネル、１１ａ3…開口部、１１ｂ…センタフレーム、１１ｂ1，１１ｂ2…取付穴、１１ｃ…カバーパネル、１１ｃ1…トップパネル、１１ｃ2…リヤパネル、１１ｄ…サイドパネル、１１ｄ1…切欠部、１１ｅ…脚部、１２ａ…槽本体、１２ｂ…蓋体、１２ｃ…電極、１２ｄ…接続管路、１２ｄ1…内孔、１２ｄ2…屈曲管、１３ａ…第１接続管路、１３ｂ…第２接続管路、１３ｃ…第３接続管路、１３ｄ…第４接続管路、１３ｅ…第５接続管路、１３ｆ…第６接続管路、１４…制御装置、１４ａ…流量センサー、１４ｂ…抽出弁、１４ｃ…排出弁、１４ｄ…給水弁、１５ａ…ケース本体、１５ａ1…水抜き穴、１５ｂ…蓋体、１５ｃ…フィルターエレメント、１５ｄ…接続管路、１５ｄ1…内孔、１５ｄ2…屈曲管、１５ｅ…水抜き栓、１６，１７…ブラケット、１６ａ…押さえ板部、１６ｂ…取付板部、１６ｃ…連結部、１６ｄ…ネジ、２０…銀イオン水生成装置、２０ａ…電解槽、２０ｂ…フィルター、２０ｃ…流通管路、２０ｅ…ハイジング、２１ａ…ハウジング本体、２１ａ1…ベースフレーム、２１ａ2…サイドパネル、２１ｂ…センタフレーム、２１ｂ1，２１ｂ2…取付穴、２１ｃ…カバーパネル、２２ａ…槽本体、２２ｂ…蓋体、２２ｄ…接続管路、２３ａ…第１接続管路、２３ｂ…第２接続管路、２３ｃ…第３接続管路、２３ｄ…第４接続管路、２３ｅ…第５接続管路、２５ａ…ケース本体、２５ｂ…蓋体、２５ｄ…接続管路、２６，２７…ブラケット、２６ａ…押さえ板部、２６ｂ…取付板部、２６ｃ…連結部、２６ｄ…ネジ、２８，２９…スペーサ、２８ａ，２９ａ…スペーサ本体、２８ｂ，２９ｂ…嵌合穴、２８ｃ，２９ｃ…固定用穴、Ｌ…水面。
【図１】
2005035670.tif 000003
【図２】
2005035670.tif 000004
【図３】
2005035670.tif 000005
【図４】
2005035670.tif 000006
【図５】
2005035670.tif 000007
【図６】
2005035670.tif 000008
【図７】
2005035670.tif 000009
【図８】
2005035670.tif 000010
【図９】
2005035670.tif 000011
【図１０】
2005035670.tif 000012
【図１１】
2005035670.tif 000013